(57)【要約】【課題】テンプレート部材を削減することが可能なエレベータ装置の配線ダクトおよびエレベータ装置の配線ダクト機構を提供する。【解決手段】井形の配線ダクト機構１１は、上方に位置する対向する一対の配線ダクト１３、１３と、下方に位置する対向する一対の配線ダクト１３、１３とを有し、これら配線ダクト１３、１３、１３、１３を井形に組むことにより構成されている。各配線ダクト１３は、いずれも同様の構成を有し、底面１３ａと、底面１３ａの幅方向の両端に直交して連結された一対の側面１３ｂ、１３ｂと、各側面１３ｂの上端に直交して連結された耳部１３ｃとを備えている。下方に位置する一対の配線ダクト１３、１３において、その底面１３ａには、配線ダクト１３の長手方向に沿ってエレベータ機器を位置決めするためのエレベータ機器用位置決め穴１６が形成されている。そして、この位置決め穴１６を介して、配線ダクト１３から鋼線１２を吊り下げることができる。【選択図】図４
2010006483.tif 000002
【特許請求の範囲】
【請求項１】
内部にエレベータ機器が収納されるエレベータ昇降路内に配置されたエレベータ装置の配線ダクトにおいて、
底面と、
底面の幅方向の両端に垂直に連結された一対の側面と、
各側面の上端に直交して連結された耳部と、を備え、
底面に、長手方向に沿って所定の間隔で複数のエレベータ機器用位置決め穴を形成したことを特徴とするエレベータ装置の配線ダクト。
【請求項２】
少なくとも一方の側面に、エレベータ昇降路内に設置されたレールに配線ダクトを固定するための固定穴を設けたことを特徴とする請求項１に記載のエレベータ装置の配線ダクト。
【請求項３】
底面に、エレベータ昇降路内に設置されたレールにレールブラケットを介して配線ダクトを固定するための固定穴を設けたことを特徴とする請求項１に記載のエレベータ装置の配線ダクト。
【請求項４】
内部にエレベータ機器が収納されるエレベータ昇降路内に配置され、上方に位置する対向する一対の配線ダクトと、下方に位置する対向する一対の配線ダクトとを有し、これらの配線ダクトを井形に組んでなるエレベータ装置の配線ダクト機構において、
各配線ダクトは、底面と、底面の幅方向の両端に直交して連結された一対の側面と、各側面の上端に直交して連結された耳部と、を備え、
上方に位置する対向する一対の配線ダクトは、各々一対の耳部を下方に向けてその底面において昇降路天井に固定され、
下方に位置する対向する一対の配線ダクトは、各々一対の耳部を上方に向けてその耳部において上方の一対の配線ダクトの耳部に連結され、
下方に位置する一対の配線ダクトの底面に、各々長手方向に沿って所定の間隔で複数のエレベータ機器用位置決め穴を形成したことを特徴とするエレベータ装置の配線ダクト機構。
【請求項５】
上方に位置する対向する一対の配線ダクトの底面に、当該配線ダクトをエレベータ昇降路天井に固定するための固定穴を設けたことを特徴とする請求項４に記載のエレベータ装置の配線ダクト。
【請求項６】
内部にエレベータ機器が収納されるエレベータ昇降路内に配置され、互いに対向する二対の配線ダクトを有し、矩形状領域を形成するエレベータ装置の配線ダクト機構において、
各配線ダクトは、底面と、底面の幅方向の両端に直交して連結された一対の側面と、各側面の上端に直交して連結された耳部と、を備え、
対向する二対の配線ダクトの内の一方の一対の配線ダクトは、各々エレベータ昇降路内に設置されたレールに固定され、
他方の一対の配線ダクトは、各々一方の一対の配線ダクトに連結され、
配線ダクトにより形成された矩形状領域は、エレベータ昇降路内に設置された乗りかごの上方からみた投影面を囲むことを特徴とするエレベータ装置の配線ダクト機構。
【請求項７】
請求項４に記載のエレベータ装置の配線ダクト機構を準備する工程と、
下方に位置する対向する一対の配線ダクトにエレベータ機器用位置決め穴を介して鋼線を吊り下げてエレベータ機器の位置決めをする工程と、を備えたことを特徴とするエレベータ装置の据付方法。
【請求項８】
井形に組まれた４本の配線ダクトからなる配線ダクト機構を昇降路天井から取り外して各々の配線ダクトに分解する工程と、
各配線ダクトを昇降路において矩形状領域を形成するよう組み立てて、請求項６に記載のエレベータ装置の配線ダクト機構を作製する工程と、を更に備えたことを特徴とする請求項７記載のエレベータ装置の据付方法。
【発明の詳細な説明】
【技術分野】
【０００１】
本発明は、内部にエレベータ機器が収納されるエレベータ昇降路内に配置されたエレベータ装置の配線ダクト、およびエレベータ装置の配線ダクト機構に関する。
【背景技術】
【０００２】
従来より、エレベータ昇降路内においてエレベータ機器を据え付ける場合、昇降路上部にテンプレート部材を設置し、このテンプレート部材から複数の基準用線材を吊り下げ、これら線材を基準にしてエレベータ機器を据え付けている（特許文献１参照）。
【０００３】
また、エレベータ機器に接続される電線の配線経路を構成する場合、縦断面がコ字状を呈する棒状部材を昇降路内の所定位置に配置し、この棒状部材が配線受け具として用いられている（特許文献２参照）。配線受け具はコ字状部の開放端が上方を向くように配置され、エレベータ機器に接続される電線は配線受け具のコ字状部内に収納されて配線される。
【０００４】
【特許文献１】特開２００３−２１２４５１号公報
【特許文献２】特開２００７−１１９１１９号公報
【０００５】
従来の方法によりエレベータ機器を据え付け、その後、電線の配線経路を構成する場合は、まずエレベータ機器を据え付けるためのテンプレート部材を設け、次に配線受け具を設置している。しかしながら、テンプレート部材はエレベータ機器を据え付けるときにのみ必要な部材であり、エレベータ機器を据え付けた後は使用されず、エレベータ昇降路内において、無駄な構成部材となっていた。また、テンプレート部材と配線受け具は、各々構造が異なるため、エレベータ機器を据え付けた後に、テンプレート部材を配線受け具として使用することもできなかった。このような場合、配線ダクトをエレベータ装置据え付けのためのテンプレート部材として用いることができれば、エレベータ昇降路内において、無駄な構成部材を削減することができて都合が良い。
【０００６】
本発明は、このような点を考慮してなされたものであり、配線ダクトをテンプレート部材として用いることにより、テンプレート部材を削減することが可能なエレベータ装置の配線ダクトおよびエレベータ装置の配線ダクト機構を提供することを目的とする。
【発明の開示】
【課題を解決するための手段】
【０００７】
本発明は、内部にエレベータ機器が収納されるエレベータ昇降路内に配置されたエレベータ装置の配線ダクトにおいて、底面と、底面の幅方向の両端に直交して連結された一対の側面と、各側面の上端に直交して連結された耳部と、を備え、底面に、長手方向に沿って所定の間隔で複数のエレベータ機器用位置決め穴を形成したことを特徴とするエレベータ装置の配線ダクトである。
【０００８】
本発明は、少なくとも一方の側面に、エレベータ昇降路内に設置されたレールに配線ダクトを固定するための固定穴を設けたことを特徴とする配線ダクトである。
【０００９】
本発明は、底面に、エレベータ昇降路内に設置されたレールにレールブラケットを介して配線ダクトを固定するための固定穴を設けたことを特徴とする配線ダクトである。
【００１０】
本発明は、内部にエレベータ機器が収納されるエレベータ昇降路内に配置され、上方に位置する対向する一対の配線ダクトと、上方に位置する対向する一対の配線ダクトとを有し、これらの配線ダクトを井形に組んでなるエレベータ装置の配線ダクト機構において、各配線ダクトは、底面と、底面の幅方向の両端に直交して連結された一対の側面と、各側面の上端に直交して連結された耳部と、を備え、上方に位置する対向する一対の配線ダクトは、各々一対の耳部を下方に向けてその底面において昇降路天井に固定され、下方に位置する対向する一対の配線ダクトは、各々一対の耳部を上方に向けてその耳部において上方の一対の配線ダクトの耳部に連結され、下方に位置する一対の配線ダクトの底面に、各々長手方向に沿って所定の間隔で複数のエレベータ機器用位置決め穴を形成したことを特徴とするエレベータ装置の配線ダクト機構である。
【００１１】
本発明は、上方に位置する対向する一対の配線ダクトの底面に、当該配線ダクトをエレベータ昇降路天井に固定するための固定穴を設けたことを特徴とするエレベータ装置の配線ダクトである。
【００１２】
本発明は、内部にエレベータ機器が収納されるエレベータ昇降路内に配置され、互いに対向する二対の配線ダクトを有し、矩形状領域を形成するエレベータ装置の配線ダクト機構において、各配線ダクトは、底面と、底面の幅方向の両端に直交して連結された一対の側面と、各側面の上端に直交して連結された耳部と、を備え、対向する二対の配線ダクトの内の一方の一対の配線ダクトは、各々エレベータ昇降路内に設置されたレールに固定され、他方の一対の配線ダクトは、各々一方の一対の配線ダクトに連結され、配線ダクトにより形成された矩形状領域は、エレベータ昇降路内に設置された乗りかごの上方からみた投影面を囲むことを特徴とするエレベータ装置の配線ダクト機構である。
【００１３】
本発明は、井形に組まれた４本の配線ダクトからなるエレベータ装置の配線ダクト機構を準備する工程と、下方に位置する対向する一対の配線ダクトにエレベータ機器用位置決め穴を介して鋼線を吊り下げてエレベータ機器の位置決めをする工程と、を備えたことを特徴とするエレベータ装置の据付方法である。
【００１４】
本発明は、井形に組まれた４本の配線ダクトからなる配線ダクト機構を昇降路天井から取り外して各々の配線ダクトに分解する工程と、各配線ダクトを昇降路において矩形状領域を形成するよう組み立てて、エレベータ装置の配線ダクト機構を作製する工程と、を更に備えたことを特徴とするエレベータ装置の据付方法である。
【発明の効果】
【００１５】
本発明によれば、エレベータ装置の配線ダクトの底面に、配線ダクトの長手方向に沿って所定の間隔で複数のエレベータ機器用位置決め穴を形成することで、配線ダクトからエレベータ機器用位置決め穴を介して基準用線材を吊り下げ、これら線材を基準にしてエレベータ機器を据え付けることができる。このため、従来用いていたエレベータ機器の据付の際用いるテンプレート部材を削減することができる。
また本発明によれば、井形に組まれた４本の配線ダクトからなる配線ダクト機構の配線ダクトに設けられたエレベータ機器用位置決め穴を用いて、エレベータ機器を据え付ける。その後、配線ダクト機構を昇降路天井から取り外し、矩形状領域を形成するよう４本の配線ダクトを組むことにより、エレベータ装置の配線ダクト機構を構成する。このことにより、エレベータ機器の据付で用いる部材を削減することができる。
【発明を実施するための形態】
【００１６】
第１の実施の形態
以下、図面を参照して、本発明の第１の実施の形態について説明する。ここで、図１乃至図７は、本発明の第１の実施の形態におけるエレベータ装置の配線ダクトを示す図である。このうち図１は、本発明の第１の実施の形態において、上方の配線ダクトと下方の配線ダクトを連結する方法を示す図であり、図２は、本発明の第１の実施の形態において、４本の配線ダクトを井形に組んで構成したエレベータ装置の配線ダクト機構を示す図である。図３は、本発明の第１の実施の形態における配線ダクトの底面を示す図であり、図４は、本発明の第１の実施の形態における配線ダクトを示す図である。図５は、本発明の第１の実施の形態において、矩形状領域を形成するよう組まれた４本の配線ダクトからなるエレベータ装置の配線ダクト機構を上方から見た図であり、図６は、本発明の第１の実施の形態におけるエレベータ装置の据付方法を示す図である。図７は、本発明の第１の実施の形態における配線ダクトとレールの連結を示す図である。
【００１７】
まず、図２により組立途中のエレベータ装置４０全体について説明する。図に示すように、エレベータ装置４０は、天井１０ａと４側面１０ｂとを有し、内部に図示しないエレベータ機器が収納されるエレベータの昇降路１０と、昇降路１０内を昇降するエレベータの乗りかご１８と、昇降路１０の天井１０ａに連結された井形の配線ダクト機構１１と、昇降路１０の内部空間１０ｃ内に設けられ鉛直方向に延びる一対の乗りかご用レール１７、１７とを備えている。
【００１８】
次に本発明による井形の配線ダクト機構１１について説明する。図１乃至図４に示すように、井形の配線ダクト機構１１は、後述のように上方に位置する対向する一対の配線ダクト１３、１３と、下方に位置する対向する一対の配線ダクト１３、１３とを有し、これら配線ダクト１３、１３、１３、１３を井形に組むことにより構成されている。各配線ダクト１３は、いずれも同様の構成を有し、底面１３ａと、底面１３ａの幅方向の両端に直交して連結された一対の側面１３ｂ、１３ｂと、各側面１３ｂの上端に直交して連結された耳部１３ｃとを備えている。
【００１９】
図１および図２に示すように、井形の配線ダクト機構１１を構成する４本の配線ダクト１３のうち、上方に位置する対向する一対の配線ダクト１３、１３は、各々一対の耳部１３ｃ、１３ｃを下方に向けてその底面１３ａにおいて昇降路１０の天井１０ａに固定部１４により固定されている。図３に示すように、配線ダクト１３を昇降路１０の天井１０ａに固定するための固定部１４は、昇降路１０の天井１０ａに配線ダクト１３を固定するために配線ダクト１３の底面１３ａに設けられた固定穴１４ａと、固定穴１４ａに挿入され配線ダクト１３の底面１３ａと昇降路１０の天井１０ａを固定するアンカーボルト１４ｂとからなる。
【００２０】
井形の配線ダクト機構１１を構成する４本の配線ダクト１３のうち、下方に位置する対向する一対の配線ダクト１３、１３は、各々一対の耳部１３ｃ、１３ｃを上方に向けて、その耳部１３ｃにおいて上方に位置する一対の配線ダクト１３、１３の耳部１３ｃに連結部１５により連結されている。連結部１５は、上方および下方に位置する配線ダクト１３の各々の耳部１３ｃに設けられた複数の連結穴１５ａと、連結穴１５ａに挿入され上方に位置する配線ダクト１３と下方に位置する配線ダクト１３を連結するボルト１５ｂとからなる。
【００２１】
ところで、下方に位置する一対の配線ダクト１３、１３において、その底面１３ａには、配線ダクト１３の長手方向に沿って図示しないエレベータ機器を位置決めするためのエレベータ機器用位置決め穴１６が２つ形成されている。そして、この各位置決め穴１６を介して、配線ダクト１３から鋼線１２を吊り下げることができる。
【００２２】
また、後述のように、昇降路１０の天井１０ａに設置された井形の配線ダクト機構１１を用いて、エレベータ機器の位置決めを行なってエレベータ機器を据え付けた後、この井形の配線ダクト機構１１を昇降路１０の天井１０ａから取り外して各配線ダクト１３毎に分解する。そして例えば、昇降路１０内の高さ方向略中央部において、配線ダクト１３を再度矩形状に組み立てて、矩形の配線ダクト機構１９を構成する配線ダクト１３中に電線を付設することができる。
【００２３】
以下、この矩形の配線ダクト機構１９について、図５により説明する。図５に示すように、矩形の配線ダクト機構１９は、乗りかご１８が収納されるエレベータ昇降路１０内のうち、例えば高さ方向略中央部に配置され、矩形状領域２０を形成するよう組まれた互いに対向する二対の配線ダクト１３、１３、１３、１３、すなわち計４本の配線ダクト１３、１３、１３、１３からなっている。矩形の配線ダクト機構１９は井形の配線ダクト機構１１から分解された配線ダクト１３からなるため、矩形の配線ダクト機構１９の配線ダクト１３の構成は、井形の配線ダクト機構１１の配線ダクト１３と同一である。すなわち各配線ダクト１３は、底面１３ａと、底面１３ａの幅方向の両端に直交して連結された一対の側面１３ｂ、１３ｂと、各側面１３ｂの上端に直交して連結された耳部１３ｃとを備えている。
なお、矩形の配線ダクト機構１９の取付け位置は昇降路１０内の高さ方向略中央部に限られることはなく、高さ方向上方部であってもよく下方部であってもよい。
【００２４】
対向する二対の配線ダクト１３、１３、１３、１３の内の一方の一対の配線ダクト１３、１３は、各々エレベータ昇降路１０内に設置された乗りかご用レール１７に固定部２１により固定され、他方の一対の配線ダクト１３、１３は、各々一方の一対の配線ダクト１３、１３に連結具２２により連結される。この場合、一方の一対の配線ダクト１３、１３と、他方の一対の配線ダクト１３、１３とは、各々の両端部において連結されている。４本の配線ダクト１３により形成された矩形状領域２０は、エレベータ昇降路１０内に設置された乗りかご１８の上方からみた投影面２３を囲んでいる。
【００２５】
次に矩形の配線ダクト機構１９において、乗りかご用レール１７に一方の一対の配線ダクト１３を固定する固定部２１について、図７により更に説明する。
【００２６】
図７に示すように固定部２１は、乗りかご用レール１７に固定されるとともに配線ダクト１３を支持するレールブラケット２５と、レールブラケット２５と乗りかご用レール１７とを固定する固定具２４と、レールブラケット２５と配線ダクト１３を連結する固定具２７とを有している。レールブラケット２５は、乗りかご用レール１７に固定される側面２５ａと、側面２５ａに直交して連結された底面２５ｂとを有している。配線ダクト１３の底面１３ａには、レールブラケット２５に配線ダクト１３を固定するための固定穴２６が設けられている。また、乗りかご用レール１７、およびレールブラケット２５の側面２５ａおよび底面２５ｂには、各々固定具２４および固定具２７を挿入するための図示しない穴が設けられている。
【００２７】
次に、このような構成からなる本実施の形態の作用について説明する。
【００２８】
はじめに、上方に位置する対向する一対の配線ダクト１３、１３と、下方に位置する対向する一対の配線ダクト１３、１３とを有するとともに、井形状に組まれた井形の配線ダクト機構１１が昇降路１０の天井１０ａに固定され、下方に位置する対向する一対の配線ダクト１３、１３に位置決め穴１６を介して鋼線１２が下方へ吊り下げられ、この鋼線１２を用いて図示しないエレベータ機器の位置決めが行なわれる。
【００２９】
すなわち、図1乃至図３に示すように、まず上方に位置するとともに互いに対向する一対の配線ダクト１３、１３を準備し、各々一対の耳部１３ｃ、１３ｃを下方に向けてその底面１３ａが昇降路１０の天井１０ａに接するように配線ダクト１３を配置する。その際、所望の大きさの井形の配線ダクト機構１１が構成されるように、一対の配線ダクト１３、１３を、一定の間隔を空けて対向させて配置する。次に、アンカーボルト１４ｂを各配線ダクト１３の底面１３ａに設けられた固定穴１４ａに挿入し、各配線ダクト１３を昇降路１０の天井１０ａに固定する。
【００３０】
次に、下方に位置するとともに互いに対向する一対の配線ダクト１３、１３を準備し、図１に示すように、各配線ダクト１３の耳部１３ｃを上方に向けて、その耳部１３ｃに設けられた連結穴１５ａと、上方に位置する対向する一対の配線ダクト１３、１３の耳部１３ｃに設けられた連結穴１５ａが重なるようにする。次に、下方に位置する配線ダクト１３の耳部１３ｃに設けられた連結穴１５ａにボルト１５ｂを挿入し、上方に位置する対向する一対の配線ダクト１３、１３と下方に位置する対向する一対の配線ダクト１３、１３を連結する。これにより、井形に組まれた４本の配線ダクト１３からなる井形の配線ダクト機構１１が作製され、この井形の配線ダクト機構１１が昇降路１０の天井１０ａに固定される。
【００３１】
次に、図２に示すように、下方に位置する対向する一対の配線ダクト１３、１３の底面１３ａに形成されている各位置決め穴１６に鋼線１２の一端をつけて、鋼線１２を下方へ吊り下げる。鋼線１２の他端は、昇降路１０の図示しない底面に固定される。この鋼線１２を基準にして、図示しないエレベータ機器の位置決めを行い、エレベータ機器を据え付ける。
【００３２】
次に、井形の配線ダクト機構１１を昇降路１０の天井１０ａから取り外して４本の配線ダクト１３に分解し、各配線ダクト１３を昇降路１０のうち、例えば高さ方向略中央部において矩形状領域２３を形成するように組み立てて、矩形の配線ダクト機構１９を作製し、矩形の配線ダクト機構１９を構成する配線ダクト１３中に電線を付設する。
【００３３】
この場合、まず、井形の配線ダクト機構１１の下方に位置する対向する一対の配線ダクト１３、１３の各耳部１３ｃに設けられた連結穴１５ａに挿入されたボルト１５ｂを引き抜き、上方に位置する対向する一対の配線ダクト１３、１３から下方に位置する対向する一対の配線ダクト１３、１３を取り外す。次に、上方に位置する対向する一対の配線ダクト１３、１３の各底面１３ａに設けられた固定穴１４ａに挿入されたアンカーボルト１４ｂを引き抜き、昇降路１０の天井１０ａから上方に位置する対向する一対の配線ダクト１３、１３を取り外す。これにより、井形の配線ダクト機構１１は４本の配線ダクト１３に分解される。
【００３４】
次に４本の配線ダクト１３のうち２本の配線ダクト１３を、対向する一対の乗りかご用レール１７、１７に各々固定する。すなわち、図７に示すように、昇降路１０において、一対の乗りかご用レール１７、１７が予め設けられており、この乗りかご用レール１７、１７のうち一方の乗りかご用レール１７にレールブラケット２５の側面２５ａを固定具２４により固定する。次に、所望の配線ダクト１３の底面１３ａを下方に向けてレールブラケット２５の底面２５ｂに載置し、配線ダクト１３の底面１３ａに設けられた固定穴２６に固定具２７を挿入し、配線ダクト１３とレールブラケット２５を固定する。これにより、昇降路１０において、配線ダクト１３と一方の乗りかご用レール１７が固定される。他方の乗りかご用レール１７にも同様に他の配線ダクト１３を固定する。これにより、４本の配線ダクト１３のうち２本の配線ダクト１３が、対向する一対の乗りかご用レール１７、１７に各々固定される。
【００３５】
次に、一対の乗りかご用レール１７、１７に各々固定済の配線ダクト１３に、残り２本の配線ダクト１３を各々連結する。この場合、図５に示すように、昇降路１０内に４本の配線ダクト１３で矩形状領域２３を形成するように、残り２本の配線ダクト１３を配置する。次に、対向する一対の乗りかご用レール１７、１７に固定済の配線ダクト１３に残り２本の配線ダクト１３を各々連結具２２により連結する。これにより、４本の配線ダクト１３からなるエレベータ装置４０の矩形の配線ダクト機構１９が作製され、矩形の配線ダクト機構１９の４本の配線ダクト１３により矩形状領域２０が形成される。４本の配線ダクト１３により形成された矩形状領域２０は、エレベータ昇降路１０内に設置された乗りかご１８の上方からみた投影面２３を囲んでいる。最後に、配線ダクト機構１９内に図示しない電線を付設し、図示しないエレベータ機器への配線を行なう。
【００３６】
このように本実施の形態によれば、エレベータ装置４０の据付を行う場合、４本の配線ダクト１３からなる井形のダクト機構１１を昇降路１０の天井１０ａに設けることができるので、下方に位置する配線ダクト１３から位置決め穴１６を介して鋼線１２を下方へ吊り下げてエレベータ機器の位置決めを行うことができる。これにより、テンプレート部材が不要となり、エレベータ装置４０の据付において準備する部材の種類を減らすことができ、エレベータ装置４０を安価に据え付けることができる。
【００３７】
また本実施の形態によれば、井形のダクト機構１１を昇降路１０の天井１０ａから取り外して４本の配線ダクト１３に分解し、各配線ダクト１３を昇降路１０内において矩形状領域２３を形成するように組み立てて、矩形の配線ダクト機構１９を作製し、矩形の配線ダクト機構１９を構成する配線ダクト１３を電線付設用の配線ダクト１３として用いることができる。これにより、エレベータ装置４０の据付において準備する部材の数を減らすことができ、エレベータ装置４０を安価に据え付けることができる。
【００３８】
また本実施の形態によれば、矩形の配線ダクト機構１９を構成する４本の配線ダクト１３は、互いの両端部において連結されている。このため、矩形の配線ダクト機構１９の４角では電線は外方へ露出することがなく、電線は傷つき易い４角において外方へ露出することなく配線ダクト１３により保護される。
【００３９】
次に図１および図４により本発明の第１の実施の形態の他の変形例について説明する。すなわち、図１乃至図７に示す第１の実施の形態において、対向する一対の配線ダクト１３、１３を昇降路１０の天井１０ａに固定する場合、各々一対の耳部１３ｃを上方に向けてその耳部１３ｃにおいて一対の配線ダクト１３を直接昇降路１０の天井１０ａに固定してもよい。
【００４０】
この変形例において、対向する一対の配線ダクト１３、１３を準備し、各々一対の耳部１３ｃを上方に向けてその耳部１３ｃが昇降路１０の天井１０ａに接するように、対向する一対の配線ダクト１３を配置する。次に、ボルト１５ｂを各配線ダクト１３の耳部１３ｃに設けられた連結穴１５ａに挿入し、各配線ダクト１３を昇降路１０の天井１０ａに固定する。これにより、耳部１３ｃを上方に向けた対向する一対の配線ダクト１３、１３が昇降路１０の天井１０ａに固定される。
【００４１】
次に、図４に示すように、配線ダクト１３の底面１３ａに形成されている各位置決め穴１６に鋼線１２の一端をつけて、鋼線１２を下方へ吊り下げる。この場合、この鋼線１２を基準にして、乗りかご１８などのエレベータ機器の位置決めを行い、エレベータ機器を据え付けることができる。
【００４２】
このように本変形例によれば、エレベータ装置４０の据付を行う場合、耳部１３ｃを上方に向けた対向する一対の配線ダクト１３、１３を昇降路１０の天井１０ａに設けることができるので、配線ダクト１３から鋼線１２を下方へ吊り下げてエレベータ機器の位置決めを行うことができる。これにより、テンプレート部材が不要となり、エレベータ装置４０の据付において準備する部材の種類を減らすことができ、エレベータ装置４０を安価に据え付けることができる。
【００４３】
第２の実施の形態
以下、図８を参照して、本発明の第２の実施の形態について説明する。ここで、図８は、本発明の第２の実施の形態における配線ダクトとレールの連結を示す図である。
【００４４】
図８に示す第２の実施の形態は、配線ダクト１３の一方の側面１３ｂに、乗りかご用レール１７に配線ダクト１３を固定するための固定穴２８が設けられ、固定穴２８に挿入される固定ボルト２９ａにより乗りかご用レール１７と配線ダクト１３とが固定され、このようにして互いに対向する二対の配線ダクト１３からなる矩形の配線ダクト機構１９を構成した点が異なるのみであり、他の構成は、図１乃至図７に示す第１の実施の形態と略同一である。図８において、図１および図２に示す第１の実施の形態と同一部分には同一符号を付して詳細な説明は省略する。
【００４５】
図８に示すように、配線ダクト１３は、各々底面１３ａと、底面１３ａの幅方向の両端に直交して連結された一対の側面１３ｂ、１３ｂと、各側面１３ｂの上端に直交して連結された耳部１３ｃとを備えている。配線ダクト１３の前方の側面１３ｂには、乗りかご用レール１７に配線ダクト１３を固定するための固定穴２８が設けられている。また乗りかご用レール１７には固定板２９が固着され、この固定板２９の穴（図示せず）と配線ダクト１３の固定穴２８とに固定ボルト２９ａを挿着することにより、配線ダクト１３が乗りかご用レール１７に固定されている。
【００４６】
次に、このような構成からなる本実施の形態の作用について説明する。
【００４７】
はじめに、上方に位置する対向する一対の配線ダクト１３、１３と、下方に位置する対向する一対の配線ダクト１３、１３とを有するとともに、井形状に組まれた井形の配線ダクト機構１１が昇降路１０の天井１０ａに固定され、下方に位置する対向する一対の配線ダクト１３、１３に位置決め穴１６を介して鋼線１２が下方へ吊り下げられ、この鋼線１２を用いて図示しないエレベータ機器の位置決めが行なわれる。詳細は本発明の第１の実施の形態の場合と同一であるので省略する。
【００４８】
次に、井形の配線ダクト機構１１を昇降路１０の天井１０ａから取り外して４本の配線ダクト１３に分解し、各配線ダクト１３を昇降路１０のうち、例えば高さ方向略中央部において矩形状領域２３を形成するように組み立てて、矩形の配線ダクト機構１９を作製し、矩形の配線ダクト機構１９を構成する配線ダクト１３中に電線を付設する。
【００４９】
この場合、まず、井形の配線ダクト機構１１を昇降路１０の天井１０ａから取り外して４本の配線ダクト１３に分解する。詳細は本発明の第１の実施の形態の場合と同一であるので省略する。
【００５０】
次に４本の配線ダクト１３のうち２本の配線ダクト１３を、対向する一対の乗りかご用レール１７、１７に各々固定する。すなわち、図８に示すように、昇降路１０において、一対の乗りかご用レール１７、１７が予め設けられており、また各乗りかご用レール１７には固定板２９が固着されている。この乗りかご用レール１７、１７のうち一方の乗りかご用レール１７の固定板２９の穴（図示せず）と、所望の配線ダクト１３の前方の側面１３ｂに設けられた固定穴２８とが重なるようにし、固定板２９の穴と固定穴２８とに固定ボルト２９ａを挿着し、配線ダクト１３を乗りかご用レール１７に固定する。同様に他の配線ダクト１３を他方の乗りかご用レール１７固定する。これにより、４本の配線ダクト１３のうち２本の配線ダクト１３が、対向する一対の乗りかご用レール１７、１７に各々固定される。
【００５１】
次に、一対の乗りかご用レール１７、１７に各々固定済の配線ダクト１３に、残り２本の配線ダクト１３を各々連結する。詳細は第１の実施の形態の場合と同一であるので省略する。
【００５２】
このことにより、４本の配線ダクト１３からなるエレベータ装置４０の矩形の配線ダクト機構１９が作製され、矩形の配線ダクト機構１９の４本の配線ダクト１３により矩形状領域２０が形成される。４本の配線ダクト１３により形成された矩形状領域２０は、エレベータ昇降路１０内に設置された乗りかご１８の上方からみた投影面２３を囲んでいる。最後に、配線ダクト機構１９内に図示しない電線を付設し、図示しないエレベータ機器への配線を行なう。
【００５３】
このように本実施の形態によれば、井形のダクト機構１１を昇降路１０の天井１０ａから取り外して４本の配線ダクト１３に分解し、各配線ダクト１３を昇降路１０内において矩形状領域２３を形成するように組み立てて、矩形の配線ダクト機構１９を作製し、矩形の配線ダクト機構１９を構成する配線ダクト１３を電線付設用の配線ダクト１３として用いることができる。これにより、エレベータ装置４０の据付において準備する部材の数を減らすことができ、エレベータ装置４０を安価に据え付けることができる。
【図面の簡単な説明】
【００５４】
【図１】図１は、本発明の第１の実施の形態において、上方の配線ダクトと下方の配線ダクトを連結する方法を示す図。
【図２】図２は、本発明の第１の実施の形態において、４本の配線ダクトを井形に組んで構成したエレベータ装置の配線ダクト機構を示す図。
【図３】図３は、本発明の第１の実施の形態における配線ダクトの底面を示す図。
【図４】図４は、本発明の第１の実施の形態における配線ダクトを示す図。
【図５】図５は、本発明の第１の実施の形態において、矩形状領域を形成するよう組まれた４本の配線ダクトからなるエレベータ装置の配線ダクト機構を上方から見た図。
【図６】図６は、本発明の第１の実施の形態におけるエレベータ装置の据付方法を示す図。
【図７】図７は、本発明の第１の実施の形態における配線ダクトとレールの連結を示す図。
【図８】図８は、本発明の第２の実施の形態における配線ダクトとレールの連結を示す図。
【符号の説明】
【００５５】
１０    昇降路
１０ａ  天井
１０ｂ  側面
１０ｃ  内部空間
１１    井形の配線ダクト機構
１２    鋼線
１３    配線ダクト
１３ａ  底面
１３ｂ  側面
１４    固定部
１４ａ  固定穴
１４ｂ  アンカーボルト
１５    連結部
１５ａ  連結穴
１５ｂ  ボルト
１６    位置決め穴
１７    乗りかご用レール
１８    乗りかご
１９    矩形の配線ダクト機構
２０    矩形状領域
２１    固定部
２２    連結具
２３    投影面
２４    固定具
２５    レールブラケット
２５ａ  側面
２５ｂ  底面
２６    固定穴
２７    固定具
２８    固定穴
２９    固定板
２９ａ  固定ボルト
４０    エレベータ装置
【図１】
2010006483.tif 000003
【図２】
2010006483.tif 000004
【図３】
2010006483.tif 000005
【図４】
2010006483.tif 000006
【図５】
2010006483.tif 000007
【図６】
2010006483.tif 000008
【図７】
2010006483.tif 000009
【図８】
2010006483.tif 000010